(57)【要約】      （修正有）【課題】台風のエネルギーを消滅させる方法を実行する装置を提供する。【解決手段】枠の中央に大型送風機９を取り付け、枠の外側に送風機１〜８を取り付ける。これらの送風機の気流を円筒１２の中に入れ、渦巻きを伴う上昇気流または下降気流を発生させた後、送風機と円筒を取り除いて小型の台風や竜巻を発生させたり、下降気流を発生したりして、台風や竜巻のエネルギーを消滅する。【選択図】図１
2020099311.tif 000002
【特許請求の範囲】
【請求項１】
枠の中心に大型送風機を取り付け、枠の周辺に送風機を取り付け、（以下これらを装置と記す）装置の外に円筒を取り付け、円筒に上昇気流または下降気流を送風した後、円筒を取り外し装置と共に移動することを特徴とする台風を制御する装置。
【請求項２】
大型送風機と送風機の回転方向を逆にして円筒内部の気流に渦を巻かせることを特徴とする台風を制御する装置。
【請求項３】
送風機および位置フアンの取り付け角度と出力を制御して枠の不要な回転や上下左右の動きを防ぐことを特徴とする台風を制御する装置
【請求項４】
装置に対して飛行方向を一定にし、対地に対して飛行方向を変更する場合は空中で装置を回転して対地に対する飛行方向を変更することを特徴とする台風を制御する装置。
【請求項５】
飛行方向の送風機の回転数を下げ、逆の位置の送風機の回転数を上げて装置を傾けた後、大型送風機と送風機の回転数を上げて高速走行することを特徴とする台風を制御する装置。
【請求項６】
装置の送風方向を上にする場合は円筒を上に取り付け、下にする場合は下に取り付け円筒の端部にカバーを取り付け、カバーの開閉と大型送風機と送風機の回転数の制御により円筒を直立させることを特徴とする台風を制御する装置。
【請求項７】
空中の装置及びカバーの位置、角度、回転、捩じれ、振動、を大地と枠を基準として測定し、測定結果を制御信号に変換して送風機および位置フアン、の回転数と傾斜角度を制御して装置の安定化を図ることを特徴とする台風を制御する装置。
【請求項８】
送風機の主軸に軸受を設け、この軸受を支える９０度方向の傾斜軸を取り付け、９０度方向の傾斜軸にウオームギアを取り付けて傾斜軸を回転させ、送風機の主軸にかかる重量を支えるスラスト軸受けとスラスト軸受けを支えるローラー軸受の一部を持つことを特徴とする送風機の傾斜角度を変更する機構
【発明の詳細な説明】
【技術分野】
【０００１】  本発明は、台風や竜巻、下降気流を発生させる装置に関するものである。
【背景技術】
【０００２】  従来、台風や竜巻は人工的に制御できないものとして他社の特許はなかったが、当社ではその方法について特許を４件出願し、方法を実現する装置に対し１件特許願を申請済である。  この方式は台風のエネルギーが溜まった場所で送風機を用いて円筒の中に渦を巻いた気流を作り、送風機と円筒を取り除いた後、自然に連続的に気流が持続して台風や竜巻のエネルギーを少なくするものである。  逆に下降気流を発生させて上空の冷気を地上に降下させて台風のエネルギーを少なくするものである。  当社が提出した特許文献を下記に記す。
【先行技術文献】
【特許文献】
【特許文献１】特開平２００７−０７５０７７号公開
【特許文献２】特開平２００７−０７５０８６号公開
【特許文献３】特開平２００７−３３１７３３号公開
【特許文献４】特願２０１８−２１４１９５号公開
【特許文献５】特願２０１８−２３３８９４号申請中
【発明の概要】
【発明が解決しようとする課題】
【０００３】課題１、人工的に台風や竜巻を発生する装置を詳細に亘って完全なものとすること。課題２、この装置は１台で例えばアメリカの全ての陸と海で使用するため、高速度で移動し目的の場所と高度に達すること。【０００４】課題３、送風機のモーターや制御機器に必要な電力を供給すること。課題４、送風の向きを上下に変更する機構持つこと。課題５、円筒を装置の上下どちらにも着脱し、伸縮させること。課題６、円筒内に送風した気流が渦を巻くこと。課題７、装置と円筒の不要な上下左右前後、傾斜、回転を等を防止し、かつ、目的の位置に移動できること。【０００５】課題８、円筒内に送風する間、装置と円筒が目的の高度と位置で静止し、円筒は直立して動かないこと。課題９、送風機の傾斜角度を制御する機構を開発すること。
【課題を解決するための手段】
【０００６】  台風のエネルギーが適当に存在する場所で、地上または海上から熱気を上空に向けて送風し、小型の台風を発生させる場合と、上空から冷気を送風して冷気を地上に送って連続的な下降気流を発生させる場合がある。【０００７】  枠と送風機、発電機、制御装置、（以下本文ではこれらを装置と記す）や円筒は不要な上下左右の動き、傾斜、回転、折れ曲がり、等があるが大地を基準としてそれぞれの位置を測定した値と、装置内で互いの位置、角度、回転、を測定した値を総合的に計算し大型送風機と各送風機と位置フアンとカバーに制御信号を送って不要な動きを防止する。  測定には電波、超音波、光、ジャイロ等を用いる。【０００８】  安定した制御には測定が早く、制御にデットタイムや一次遅れ、高次の遅れが少なく制御出力が入力に対して比例であることが望ましい。  このため上記の検出器を用いるが、検出信号を高速で制御信号に変え、大型送風機９以外の送風機１〜８の原動力は出来ればガスタービンではなくモーターを使用する。【０００９】  傾斜角度の制御もモーターを使用する。  本発明の装置は台風のエネルギーを消滅させるが、この作業を行う場所まで空中を飛行させる。【００１０】  図１の装置の、位置制御の基になる基準は、ジャイロのほか、無線、光、超音波、を用いて装置や円筒の各部の相互間と大地を基準とした測定による。全ての自動制御と操作はこの基準を用いる。  枠の右の送風機７の回転数を下げ、左の送風機３の回転数を上げれば装置は右が下がるように傾くので傾けたまま、全送風機の回転数を上げれば装置は右に高速度で飛行する。  上下の制御は全送風機の回転数を増減して行う。【００１１】  図１の枠１０，１１の中央にある大型送風機９の回転によって装置が不要に回転するのでこれを止めるために枠１０，１１の周辺にある送風機１〜８と、図３，４の位置フアン３の傾斜角度と回転数を制御して装置５の回転を止める。  図１に示す送風機２の傾斜角度の変更は図２に示す主軸１４の軸受５の両側にウオームギア６，７を取り付け、このウオームギア６，７を回転させて送風機の主軸１４の傾斜角度を変更する。【００１２】  ウオームギア６，７にはこれを回転させる多数の小型ギアとこれに直結したモーターがある。  図２に示すように送風機の主軸１４の軸受５に９０度方向の軸８，９を取り付けて送風機を傾斜させるが、ウオームギア６，７，１２，１３は破損し易いので特に強度を大きくし２枚用いる。【００１３】  主軸の軸受５は回転と横方向の力と捩じれを受け止める能力があるが、翼の重量と送風による荷重と振動による縦方向の荷重を受け止めることは出来ない。  この力を受け止めるため、主軸の回転を受け止めるスラスト軸受１５と、縦方向の荷重を受け止めるローラー軸受を用いる。  風の状態では翼の重量を打ち消して逆に主軸１４が上向きに引かれ装置が破損することが無いようにストッパを用いる。
【発明の効果】
【００１４】  本発明の装置は台風のエネルギーが溜まった場所で、上昇気流を作って小型の台風を発生させて、被害を少なくし、適当な降雨による利益を得る。  上空の冷気を降下させて台風のエネルギーを消滅させる。  装置や円筒の位置、傾斜角度、捩じれ、回転、振動、の検出信号を制御信号に変換し送風機や位置フアンの出力と角度を制御して、装置を希望の位置で安定化するよう自動制御すると共に人間が操作する。  装置を上昇気流と下降気流の両方に使用し作業が済んだら高速度で飛行する。
【図面の簡単な説明】
【００１５】
【図１】本発明の装置を上から見た図である。
【図２】送風機の軸受けや歯車周辺の機構を示す外見図である。
【図３】上昇気流を発生する装置の円筒と位置フアンを示す外見図である。
【図４】下降気流を発生する装置の円筒と位置フアンを示す外見図である。
【発明を実施するための形態】
【００１６】  以下本発明の実施の形態を１，２図に基づいて説明する。課題１、の解決手段として、（以下の解決手段としての記述を解と略称する）本発明では図１に示す枠１０，１１に送風機１，２，３，４，５，６，７，８、を取り付け、その中央部に大型送風機９を取り付ける。
【００１７】これらの送風機により地上の熱い空気を上昇させて小型の台風や竜巻を発生させ、逆に図２に示す送風機の翼軸３の角度を変更することにより、送風機の回転方向を変えずに送風方向を下にして上空の冷気を降下させて、台風や竜巻のエネルギーを消滅させる。
【００１８】課題２解、装置の高速移動の手段として下記の方法を用いる。１、図１に示すような装置を高速飛行させる場合は、空中にある装置を基準として飛行方向１５を常に一定に保ち、大地の目的の方向と飛行方向１５を合わせ、上下方向の気流に対し、また高速飛行時の外気に対して空気抵抗が少なくなるように枠１０，１１を設計し、さらに枠１０，１１の空気抵抗を少なくする移動時専用のカバーを人間の手で取り付ける。
【００１９】２、送風機７の回転数を下げ、送風機３の回転数を上げれば装置の右側が下に左側が上に傾くので、全ての送風機の出力を上げれば装置は高速度で飛行方向１５の方向へ飛行する。３、飛行方向１５は装置全体に対して常に一定にし、装置の飛行方向を変えるには、装置を人間が操作して回転させ、大地の目的の方向に飛行方向１５を合わせる。
【００２０】４、装置が静止した状態で空気を上または下に送風する場合の空気抵抗が小さくなるように枠を設計するが、課題２の飛行時に枠の空気抵抗が小さくなる設計と両立するように妥協し、移動専用のカバーを外し送風専用のカバーを取り付ける。
【００２１】５、円筒輸送の手段として、円筒１２を取り外し縦横バラバラに分解して梱包しトラックや船で運搬する手段と、円筒１２を縦方向に折り畳んで装置と共に移動する手段がある。どちらも、地上で作業する。課題３解、電力を得る手段として、大型送風機９にガスタービンを用いて翼を回転させると共に、このガスタービンに発電機を直結して発電し送風機１〜８のモーターや制御機器に電力を供給する。
【００２２】送風機１〜８の一部の動力をガスタービンに替えてモーターを使用して応答速度を上げ、制御の安定度を増す。外部電源がある場合は全てモーターを使用する。
【００２３】課題４解、大型送風機９は多くの場合ガスタービンを用いて回転し発電するので、回転方向を変えるのは難しい。したがって他の送風機も渦の関係で回転方向を変えるのは難しい。送風の方向を上または下に切り替える手段として、図２のフランジ４のボルトを外して翼軸３の角度を変更することにより、翼の回転方向が同じでも送風の方向を上下に切り替えて上昇気流と下降気流の両方に使用出来る。
【００２４】課題５解、図３と図４では装置と円筒の位置が逆になるので装置に円筒を上下どちらにでも着脱できるよう取り付け金具を上下に設置する。円筒を円形に保ちながら垂直に立てるために、カバー１の開き具合と送風機１〜９の回転数を制御して円筒内部の圧力を高めて行う。
【００２５】図３、４に示すように送風方向と回転方向が制御できる位置フアン３を輪４に取り付け、輪の位置と角度を制御して円筒の皺、捩じれ、折れ曲がり、を防ぐ。円筒２の先端部に気球やドローンを取り付け、先端部を上空に引き上げる場合もある。このほか地上または海上６と支持物７がある。
【００２６】課題６解、図１に示す送風機１〜８の回転方向１３と大型送風機９の回転方向１４を逆にして図３，４に示す円筒２の内部の気流に渦を作る。課題７解、図３，４の装置の不要な上下左右の動きを防止し、必要な動きを得るために装置と円筒の位置、上下前後左右、回転、振動、の動きを測定し制御信号に変えて、図１に示す枠１０，１１の周囲に配置された送風機１〜８と図３，４に示す、位置フアン３の回転数と傾斜角度を自動制御して、不要な動きを防止し、操作によって必要な動きを得る。
【００２７】装置を上下に動かす方法は図１の全ての送風機１〜８の回転数を同時に増減する。前後左右に動かす方法は、図１の枠１０，１１を回転させて飛行方向１５を目的の方向に合わせ、送風機３の回転数を増加し送風機７の回転数を減少させて装置を傾けて、移動させると共に、図３，４に示す位置フアン３の傾斜角度と出力を自動制御し操作して装置を上下左右前後、傾斜、回転し望む位置と高さで静止させる。
【００２８】課題８解、図３，４に示すように円筒２に装置５から送風して装置５と円筒２を望む位置で静止させた後、円筒２に装置５から送風すれば、円筒２は立ち上がって円筒形になるが、さらに位置フアン３の出力と傾斜角度を制御し、カバー１の開き具合を調節する。課題９解、図２において主軸１４，とその先端１は１本の軸であり、この軸の先端部に軸２を３本取り付け、その先端にフランジ４を付け、フランジ４を翼軸３に取り付ける。
【００２９】主軸１４、の軸受５にウオームギアまたは傘型歯車６，７（以後ウオームギアと略称する）を取り付け、傾斜軸８、９と共に小歯車の回転によって送風機の傾斜角度を変える。  このほか傾斜角度を一定にして送風機の回転数を制御したり、装置の外部に位置制御のフアンを取り付けたりして装置の不要な回転を防ぎ必要な回転操作を行う。
【００３０】傾斜軸８，９は支持物１０，１１に支持され枠１７に固定する。ウオームギア１２，１３は主軸１４を回転するもので、多数の小歯車でモーター、またはガスタービン、に接続する。ウオームギアを多数使用するのは強度を増すためで、ウオームギアに接続  する小型歯車も多数使用して強度を増す。
【００３１】主軸１４にかかる送風機の重量と風圧を支持するため、主軸１４の下にスラスト軸受１５を接続して主軸１４の回転を静止状態にして受け止め、その下にローラー軸受けの一部１６（以後本文ではローラー軸受けと略称する）を取り付けて枠１７に伝える。本来ローラー軸受けは円形であるが本発明ではその一部だけを取り出して傾斜軸８，９の傾斜を十分補うだけの部分を使用する。
【００３２】図１は本発明の装置を上から見た図である。図２は送風機の角度を変える機構を示す外見図である。図３は地上や海の熱い空気を上空に送風する装置や円筒の外見図である。図４は上空の冷気を地上に送風する装置や円筒の外見図である。
【符号の説明】
【００３３】［図１］  １〜８            送風機  ９                大型送風機  １０，１１        枠  １２              円筒  １３、１４        回転方向  １５              飛行方向【００３４】［図２］  １                先端  ２                軸  ３                翼軸  ４                フランジ  ５                軸受  ６，７            ウオームギア  ８、９            傾斜軸  １０、１１        支持物  １２，１３        ウオームギア  １４，            主軸  １５              スラスト軸受  １６              ローラー軸受の一部  １７              枠【００３５】［図３］  １                カバー  ２                円筒  ３                位置フアン  ４                輪  ５                装置  ６                地上または海  ７                支持物［図４］  １                カバー  ２                円筒  ３                位置フアン  ４                輪  ５                電源内蔵の装置  ６                地上または海
【図１】
2020099311.tif 000003
【図２】
2020099311.tif 000004
【図３】
2020099311.tif 000005
【図４】
2020099311.tif 000006